(57)【要約】【課題】ユーザがメッセージサイトに登録する時に、親切なメッセージブロック表示インターフェースを提供できない問題を解決することを目的とする可動型メッセージブロックの表示システム及びその方法を提供する。【解決手段】メッセージブロックを、第１の表示層と第２の表示層に移動して区別に表示し、受け取った操作識別情報及びトリガイベントがメッセージブロックの各パラメータの中の一つに合致するかどうかを判定することにより、操作識別情報及びトリガイベントに合致するメッセージブロックを第１の表示層に移動し、他のメッセージブロックを第２の表示層に移動することで、メッセージサイトにおいてメッセージブロックがより便利的かつより可視的に読まれたり、操作されたりする効果を達成させる。【選択図】図１
2009059347.tif 000002
【特許請求の範囲】
【請求項１】
複数のメッセージブロックからなるメッセージブロックの表示インターフェースに適用される可動型メッセージブロックの表示方法において、
操作識別情報を受け取る工程と、
前記操作識別情報が各前記メッセージブロックの複数のパラメータの中の一つに合致すると判定した場合、さらに、
前記操作識別情報に合致する前記メッセージブロックを第１の表示層に移動する工程と、及び、
前記操作識別情報に合致しない前記メッセージブロックを第２の表示層に移動する工程と、
少なくとも一つのトリガイベントを待ち受け、前記トリガイベントが各前記メッセージブロックの前記パラメータの中の一つに合致すると判定した場合、さらに、
前記第１の表示層より、前記トリガイベントに合致しない前記情報ブロックを前記第２の表示層に移動する工程と、及び、
前記第２の表示層より、前記トリガイベントに合致する前記メッセージブロックを、前記第２の表示層の上に表示される前記第１の表示層に移動する工程と
を含むことを特徴とする可動型メッセージブロックの表示方法。
【請求項２】
前記トリガイベントは、入力された時間条件や入力されたメッセージ識別情報である入力情報、または、クリックコマンドである選取イベントを含むことを特徴とする請求項１に記載の可動型メッセージブロックの表示方法。
【請求項３】
前記パラメータは、前記操作識別情報と、前記時間条件と、前記メッセージ識別情報と、前記クリックコマンドとからなることを特徴とする請求項２に記載の可動型メッセージブロックの表示方法。
【請求項４】
前記第１の表示層に表示される前記メッセージブロックは、さらに、前記メッセージブロックの表示色、表示寸法や表示ラインを制御する記号属性を有することを特徴とする請求項１に記載の可動型メッセージブロックの表示方法。
【請求項５】
各前記メッセージブロックは、さらに、Ｅメールアドレスである連結情報を含むことを特徴とする請求項１に記載の可動型メッセージブロックの表示方法。
【請求項６】
複数のメッセージブロックからなるメッセージブロックの表示インターフェースに適用される可動型メッセージブロックの表示システムにおいて、
操作識別情報を受け取り、少なくとも一つのトリガイベントを待ち受ける受け取りモジュールと、
前記操作識別情報が各前記メッセージブロックの複数のパラメータの中の一つに合致するかどうかを判定し、また、前記トリガイベントが各前記メッセージブロックの前記パラメータの中の一つに合致するかどうかを判定する判定モジュールと、
前記判定モジュールが前記操作識別情報が各前記メッセージブロックの前記パラメータの中の一つに合致すると判定した場合、前記操作識別情報に合致する前記メッセージブロックを第１の表示層に移動するとともに、前記操作識別情報に合致しない前記メッセージブロックを第２の表示層に移動するが、また、前記トリガイベントを受け取り、前記判定モジュールによって、前記トリガイベントが各前記メッセージブロックの前記パラメータの中の一つに合致すると判定した場合、前記第１の表示層より前記トリガイベントに合致しない前記メッセージブロックを前記第２の表示層に移動するとともに、前記第２の表示層より前記トリガイベントに合致する前記メッセージブロックを前記第２の表示層の上に表示される前記第１の表示層に移動するメッセージブロック調整モジュールと
を含むことを特徴とする可動型メッセージブロックの表示システム。
【請求項７】
前記トリガイベントは、入力された時間条件や入力されたメッセージ識別情報である入力情報、又は、クリックコマンドである選取イベントを含むことを特徴とする請求項６に記載の可動型メッセージブロックの表示システム。
【請求項８】
前記パラメータは、前記操作識別情報と、前記時間条件と、前記メッセージ識別情報と、前記クリックコマンドとからなることを特徴とする請求項７に記載の可動型メッセージブロックの表示システム。
【請求項９】
前記第１の表示層に表示される前記メッセージブロックは、さらに、前記メッセージブロックの表示色、表示寸法や表示ラインを制御する記号属性を有することを特徴とする請求項６に記載の可動型メッセージブロックの表示システム。
【請求項１０】
各前記メッセージブロックは、さらに、Ｅメールアドレスである連結情報を含むことを特徴とする請求項６に記載の可動型メッセージブロックの表示システム。
【発明の詳細な説明】
【技術分野】
【０００１】
本発明は、メッセージブロックの表示システム及びその方法に関し、特に、メッセージサイトに適用される、操作識別情報及びトリガイベントに基づきメッセージブロックを移動する可動型メッセージブロックの表示システム及びその方法に関する。
【背景技術】
【０００２】
パソコンのアプリケーションにおいては、メッセージブロックの表示システムがよく見られる。これらのメッセージブロックには、一定の時間に表示されるものもあれば、不定の時間に現れるものもある。これらのメッセージブロックは、コンピュータのデスクトップにおいて予め設定された位置に設けられて、ユーザは、マウスをドラッグすることにより、これらのメッセージブロックを予め設定された位置にドラッグしてもよく、ユーザの閲覧に便利な位置にドラッグしてもよい。
【０００３】
その後、ネットワークの応用の普及につれて、ネットワークにおいてもメッセージサイトが適用し始まり、即ち、ネットワークにおいて、異なるユーザは、メッセージサイトで他のユーザに対して任意のメッセージブロックを出力することができる。しかし、メッセージサイトでは、閲覧やクリックによる選択の便宜のために、メッセージブロックは、一般に箇条書き式インターフェースを採用するが、ユーザはメッセージブロックを移動することもできないし、ユーザによる条件に基づきメッセージブロックを検索してその検索結果を表示することもできないので、ユーザは１箇条ずつ読むしかできない。これにより、ユーザは読むことによくたくさんの時間を費やし、さらに多数のメッセージブロックで一つを探しなければならないので、箇条書き式インターフェース表示メッセージブロックは操作上において操作の便利さを向上させる必要があることが分かる。
【０００４】
メッセージサイトは、メッセージブロックの表示方式をパソコンのアプリケーションのようにすることができるが、メッセージブロックの表示システムは、単一のコンピュータでの操作の適用環境の場合、いつ起動しても、メッセージブロックが前回終了した時の位置に止めるので、単一のコンピュータでの操作ではあまり問題はないが、メッセージサイトの適用環境の場合となると、複数の人が同時に操作するネットワーク環境が開かれているため、複数のコンピュータで同時にオンライン動作を行うことができるので、メッセージサイトは、ユーザがログアウトした後、次に改めて登録した時、メッセージブロックがまだ前にログアウトした時の位置に止めれば、ユーザがみたメッセージブロック表示インターフェースは、たくさんの整えていない新たなメッセージブロックになるが、ユーザが前にログアウトした時、メッセージブロックの位置が変わっていないとはいうものの、既に毎日多数のユーザによる新たなメッセージブロックにカバーされ、多数のメッセージブロックがびっしりと貼り合うようになり、これにより、ユーザは一つずつ移動するだけでなく、自分に所属のメッセージブロックを一つずつ探しなければならない。
従って、メッセージブロックの表示システムのメッセージブロック表示インターフェースでメッセージサイトのメッセージブロックを表示することで、従来のメッセージサイトが箇条書き式インターフェースでメッセージブロックを表示する操作の不便さを解決することができるが、ユーザは多数のメッセージブロックで一目瞭然に自分に所属のメッセージブロックを見つけ出すことができず、より便利な操作インターフェースを提供することができない。操作の便利さを備えるとともに、ユーザのメッセージブロックに合致する可視的なインターフェースを有するメッセージブロック表示インターフェースを如何に提供することは、まだ解決が期待される課題である。
【発明の開示】
【発明が解決しようとする課題】
【０００５】
本発明は、以上のような背景技術に記載されたメッセージサイトでの箇条書き式インターフェースによるメッセージブロックの表示方式における問題を鑑みて、可動型メッセージブロックの表示システム及びその方法を提供し、親切なメッセージブロックインターフェースを提供することを目的とする。
【課題を解決するための手段】
【０００６】
本発明における可動型メッセージブロックの表示システムは、複数のメッセージブロックからなる可動型メッセージブロック表示インターフェースに適用され、受け取りモジュールと、判定モジュールと、メッセージブロック調整モジュールとからなる。
本発明における可動型メッセージブロック表示の方法は、複数のメッセージブロックからなる可動型メッセージブロック表示インターフェースに適用されるが、操作識別情報を受取り、操作識別情報が各メッセージブロックのパラメータの中の一つに合致すると判定した場合、前記操作識別情報に合致する前記メッセージブロックを第１の表示層に移動するとともに、前記操作識別情報に合致しない前記メッセージブロックを第２の表示層に移動し、また、少なくとも一つのトリガイベントを待ち受け、トリガイベントを受け取ったと、トリガイベントが各メッセージブロックのパラメータの中の一つに合致すると判定した場合、前記第１の表示層より、前記トリガイベントに合致しない前記情報ブロックを前記第２の表示層に移動し、そして、前記第２の表示層より、前記トリガイベントに合致する前記メッセージブロックを、前記第２の表示層の上に表示される前記第１の表示層に移動するようにする。
メッセージサイトが箇条書き式インターフェースでメッセージブロックを表示する技術手段に対して、本発明は、メッセージサイトのメッセージブロック表示インターフェースにおいて可動型メッセージブロックが備えられることにより、操作をより便利的かつより可視的にする効果を達成させることができる。
以下、図式を参照しながら、本発明の特徴及び実施について説明する。
【発明を実施するための最良の形態】
【０００７】
本発明は、可動型メッセージブロックの表示システム及びその方法を提供するが、以下、「図１」の方法のフローチャート及び「図２」のシステムのブロック図を参照しながら説明する。
本発明は、複数のメッセージブロックを表示するメッセージブロック表示インターフェースに適用されるが、マイクロソフト社によるＭＳＮというメッセージサイトの掲示板を例とすれば、本発明に記載のメッセージブロックは、ＭＳＮ掲示板における一つ一つのメッセージであるが、本発明にかかる実際適用は、何らの特定のメッセージサイトにも限定されていない。
【０００８】
いずれのメッセージサイトも本発明を適用する前に、ユーザが登録しないまでに、すべてのメッセージブロックについては何の分層表示も行われず、各メッセージブロックも何の記号属性も備えていない。本発明を適用した後、ユーザがメッセージサイトに登録する時、ユーザの名前、ユーザＩＤや、ユーザコードを操作識別情報として入力するので、この場合、受け取りモジュール２１０は操作識別情報を受け取り(ステップ１１０)、上記操作識別情報を受け取ってから判定モジュール２２０に伝送し、判定モジュール２２０は、ユーザの操作識別情報が各メッセージブロックのパラメータの中の一つに合致するかどうかを判定し(ステップ１２０)、各メッセージブロックのそれぞれは、操作識別情報と、時間条件と、メッセージ識別情報と、クリックコマンドとからなる複数のパラメータに対応しており、ユーザの操作識別情報は各メッセージブロックのパラメータの中の一つに合致する場合、判定モジュール２２０はメッセージブロック調整モジュール２３０に告知し、そして、メッセージブロック調整モジュール２３０はユーザの操作識別情報に合致するメッセージブロックを第１の表示層に移動する(ステップ１３０)とともに、ユーザの操作識別情報に合致しないメッセージブロックを第２の表示層に移動する(ステップ１３０)。注目すべきことに、第１の表示層のメッセージブロックは第２の表示層のメッセージブロックの上に表示され、メッセージブロックが分層可能で可動型のメッセージブロック表示インターフェースが形成される。
【０００９】
例えば、メッセージサイトにおいては、それぞれの対応する一つのパラメータが操作識別情報のパラメータである「マレー」及び「小林」という二つのメッセージブロックがある。ユーザがユーザコードである「マレー」を操作識別情報として入力すると、受け取りモジュール２１０は、操作識別情報を受け取り(ステップ１１０)、メッセージブロックを移動するために、判定モジュール２２０は操作識別情報が各メッセージブロックの操作識別情報パラメータに合致するかどうかを判定し（ステップ１２０）、メッセージブロックの操作識別情報のパラメータである「マレー」は受け取った操作識別情報である「マレー」と同様な場合、メッセージブロック調整モジュール２３０は、操作識別情報である「マレー」に合致するメッセージブロックを第１の表示層に移動するとともに、操作識別情報である「小林」のメッセージブロックを第２の表示層に移動する（メッセージブロックの操作識別情報のパラメータである「小林」は受け取った操作識別情報である「マレー」と異なる。）（ステップ１３０）。
【００１０】
そして、受け取りモジュール２１０は少なくとも一つのトリガイベントを待ち受け(ステップ１４０)、上記トリガイベントとは、入力された時間条件や入力されたメッセージ識別情報である入力情報、または、クリックコマンドである選取イベントである。例えば、トリガイベントは、キーボードにより入力された日付（日付はメッセージブロックが添加された日付である。）、入力された発信者の名前、発信者ＩＤや発信者コードでもよく、又は、マウスをクリックして選択されたメッセージブロックでもよい。操作識別情報及びメッセージ識別情報については、実際の必要に応じて、ユーザ／発信者の名前、ユーザ／発信者ＩＤやユーザ／発信者コードにより設定される。
【００１１】
受け取りモジュール２１０がトリガイベントを受け取ったと(ステップ１４０)、判定モジュール２２０は、受け取ったトリガイベントが各メッセージブロックのパラメータの中の一つに合致するかどうかを判定し(ステップ１５０)、トリガイベントが各メッセージブロックのパラメータの中の一つに合致する場合、判定モジュール２２０はさらにメッセージブロック調整モジュール２３０に告知し、メッセージブロック調整モジュール２３０は第１の表示層よりトリガイベントに合致しないメッセージブロックを第２の表示層に移動するとともに、第２の表示層よりトリガイベントに合致するメッセージブロックを第１の表示層に移動する(ステップ１６０)。トリガイベントは、ユーザの操作によりいつでも発生されるが、受け取りモジュール２１０はトリガイベントを再び受け取ったと(ステップ１４０)、ステップ１５０及びステップ１６０の動作が繰り返される。
【００１２】
以下、さらにトリガイベントについて説明する。例えば、メッセージサイトにおいては、それぞれ対応する二つのパラメータが時間条件のパラメータである「５／８／０７」と「７／１０／０７」、及びメッセージ識別情報のパラメータである「マレー」と「小林」という二つのメッセージブロックがある。ここで、時間条件のパラメータをメッセージブロックが添加された日付とする場合、メッセージ識別情報は発信者コードであり、ユーザが入力された発信者コードである「小林」をトリガイベントとする場合、受け取りモジュール２１０はトリガイベントを受け取り(ステップ１４０)、ユーザのトリガイベントである「小林」に合致するメッセージブロックを第１の表示層に移動するために、判定モジュール２２０は、受け取ったトリガイベントが各メッセージブロックの発信者コードのパラメータに合致するかどうかを判定し（ステップ１５０）、メッセージブロック調整モジュール２３０は発信者コードである「小林」に合致するメッセージブロックを第１の表示層に移動する（メッセージブロックの発信者コードのパラメータである「小林」はトリガイベントである「小林」と同様である。）とともに、ユーザコードである「マレー」のメッセージブロックを第２の表示層に移動する（メッセージブロックの発信者コードのパラメータである「マレー」はトリガイベントである「小林」と異なる。）（ステップ１６０）同様に、ユーザは再び時間条件の「５／８／０７」をトリガイベントとして入力して、受け取りモジュール２１０がトリガイベントを再び受取ったと（ステップ１４０）、ステップ１５０及びステップ１６０の動作が繰り返される。
【００１３】
本発明では、すべてのメッセージブロックは二層に分けて表示されるが、操作識別情報やトリガイベントに合致するメッセージブロックは第１の表示層に表示され、他のメッセージブロックは第２の表示層に表示される。メッセージブロックを第１の表示層に表示することは、ユーザにより便利的かつより可視的なメッセージブロック表示インターフェースを提供するためであり、メッセージブロックを第２の表示層に表示することは、第１の表示層のメッセージブロックを目立たせて表示するためである。
【００１４】
第１の表示層のメッセージブロックが第２の表示層のメッセージブロックの上に表示される以外、さらに、第１の表示層が表示するメッセージブロックの識別性を向上させるために、第１の表示層に表示されるメッセージブロックにおいて記号属性を付加し、つまり、第１の表示層のメッセージブロックの可視化效果が向上するように、第１の表示層のメッセージブロックのすべてに、第２の表示層のメッセージブロックと異なる記号を示してもよい。例えば、第１の表示層のメッセージブロック全体を拡大して表示し、又は、第１の表示層のメッセージブロックのエッジを二重線で示し、第２の表示層のメッセージブロックのエッジを二重線で示さない。
【００１５】
さらに、本発明は、それぞれのメッセージブロックにおいて一つの連結情報を発生してもよく、上記連結情報は、メッセージブロックが添加された時に一緒に発生され、メッセージ識別情報に基づき対応するＥメールアドレスに接続される。例えば、ユーザはメッセージ識別情報の発信者に対してメッセージを特別に返事しようとする場合、この接続を起動してよい。
【００１６】
「図３Ａ」は、本発明のメッセージブロック表示インターフェース３００における第１の実施形態のインターフェースの適用を模式的に示す図であり、ユーザが操作識別情報及びトリガイベントを入力してから、ユーザがみたメッセージブロック表示インターフェース３００を模式的に示す。まず、ユーザはメッセージサイトに登録する時、ユーザの名前（又はユーザＩＤやユーザコード）を入力し、受け取りモジュール２１０は操作識別情報を受け取る（ステップ１１０）。本実施形態においては、ユーザコードを入力してメッセージサイト（例えば、ＭＳＮ掲示板）に登録し、メッセージブロック表示インターフェース３００に表示されたメッセージブロックは、前回にユーザがログアウトする時に比べて既に数十の新たなメッセージブロックが増えたにもかかわらず、ユーザが登録すると、判定モジュール２２０は、まずユーザコードがメッセージブロックのパラメータの中の一つに合致するかどうかを判定する（ステップ１２０）。合致する場合、判定モジュール２２０はメッセージブロック調整モジュール２３０に告知して、メッセージブロック表示インターフェース３００におけるメッセージブロックは移動し始まって分層表示になり、上記メッセージブロック調整モジュール２３０は操作識別情報がユーザコードに合致するメッセージブロックを第１の表示層に移動し(即ち、ステップ１３０)、ユーザコードに合致するメッセージブロックはすべて第１の表示層に表示され、これらのメッセージブロックはメッセージブロック表示インターフェース３００（図示せず）に勝手に貼っているが、ユーザコードに合致しないメッセージブロックは第２の表示層に表示される（即ち、ステップ１３０）。
【００１７】
次に、ユーザはメッセージブロック表示インターフェースの検索ブロック３３０を用いて検索し、読みたいメッセージブロックを検索し、即ち、ユーザによるトリガイベントを受け取ってもよい。本実施形態においては、ユーザが入力されたメッセージ識別情報は発信者コードであり、つまり、トリガイベントは「小林」であるが、判定モジュール２２０は受け取ったトリガイベントである「小林」が各メッセージブロックのパラメータの中の一つに合致するかどうかを判定する（ステップ１５０）。合致すると、判定モジュール２２０はメッセージブロック調整モジュール２３０に告知し、この場合、メッセージブロック表示インターフェース３００におけるメッセージブロックは改めて分層表示を行い、メッセージブロック調整モジュール２３０は第１の表示層よりトリガイベントである「小林」に合致しないメッセージブロック、即ち、「図３Ａ」に示すメッセージブロック表示インターフェースの第２の表示層のメッセージブロック３２０を第２の表示層に移動する（ステップ１６０)とともに、第２の表示層より当該トリガイベントに合致する上記メッセージブロック、即ち、「図３Ａ」に示すメッセージブロック表示インターフェースの第１の表示層のメッセージブロック３１０を上記第１の表示層に移動する。
【００１８】
ユーザは依然として検索の機能を実行しようとする場合、また、トリガイベント(ステップ１４０)をさらに入力してもよく、同樣に、判定モジュール２２０はさらに受け取ったトリガイベントが各メッセージブロックのパラメータの中の一つに合致するかどうかを判定し、そして、ステップ１５０及びステップ１６０の動作が繰り返される。また、本発明はユーザの要求に応じて、さらに交差検索機能を提供してもよく、例えば、ユーザはトリガイベントが時間條件である「７/２０/０７」と、メッセージ識別情報の発信者コードである「小林」とを同時に入力してもよく、これにより、第１の表示層に表示されたメッセージブロックは、メッセージブロックのパラメータが時間条件にも、発信者コードにも合致するメッセージブロック（図示せず）である。
【００１９】
「図第３Ａ」では、第１の表示層に表示されたメッセージブロックはすべて、第２の表示層のメッセージブロックの上に表示されており、前述した第１の表示層におけるメッセージブロックはすべて記号属性を備えており、つまり、第１の表示層におけるメッセージブロックはすべて第２の表示層と異なる記号属性を備えており、ユーザは記号属性選択ブロック３４０により記号属性を選択することができ、本実施形態では、記号属性はメッセージブロックのエッジにおいて二重線で示される二重線記号属性３４０２である。
【００２０】
また、ユーザは、マウスでメッセージブロックに対してクリックコマンド（即ち、トリガイベントの選取イベント）の操作（図示せず）を行うことができ、マウスでメッセージブロックをクリックして選択し、選択されたメッセージブロックは第１の表示層に移動される。さらに、発信者コードである「小林」の下には、発信者コードである「小林」のＥメールアドレスにリンクされるメッセージブロックリンク情報３１０２があるが、ユーザは発信者コードである「小林」に対してメッセージを特別に返事しようとする場合、このリンクを起動してよい。
【００２１】
本発明は、一般的なメッセージサイトにおける管理機能も備えており、ユーザはマウスでメッセージブロック表示インターフェースにおける添加されたメッセージブロック３６０をクリックしてメッセージブロックを入力してもよく、マウスでメッセージブロック表示インターフェースの友人群編集ブロック３５０をクリックして友人を編集してもよい。
【００２２】
「図第３Ｂ」は本発明の第２の実施形態の適用を模式的に示す図であり、本実施形態では、記号属性のみについて説明するので、メッセージブロック表示インターフェース３００においては記号属性選択ブロック３４０しか示していない。本実施形態では、ユーザは記号属性選択ブロック３４０で拡大された拡大記号属性３４０４を選択する場合、すなわち、操作識別情報やトリガイベントが各メッセージブロックのパラメータの中の一つに合致する場合、操作識別情報やトリガイベントに合致するメッセージブロックを第１の表示層に移動し、操作識別情報やトリガイベントに合致しないメッセージブロックを第２の表示層に移動し、第１の表示層の可視效果を向上させるために、ユーザは記号属性選択ブロック３４０で拡大された拡大記号属性３４０４を選択したと、メッセージブロック表示インターフェース３００でユーザに合致するメッセージブロックが表示され、ユーザに合致する可視的なインターフェースが備えられるように、メッセージブロック表示インターフェース３００の第１の表示層のメッセージブロック３１０が第２の表示層のメッセージブロック３２０より大きい。拡大する倍率としては、実際の必要に応じて設定されるが、本発明はこれについて何の限定もせず、そして、第１の表示層の可視效果を向上させる記号属性のいずれも本発明の精神及び範囲に所属するべきである。
【００２３】
本発明は、操作識別情報及びトリガイベントの判定により、操作識別情報及びトリガイベントに合致するメッセージブロックを第１の表示層に移動するとともに、合致しないメッセージブロックを第２の表示層に移動し、そして、記号属性によりメッセージブロックの表示を更に明らかにすることにより、ユーザに操作の便利さと表示の可視化を感じさせ、ユーザメッセージブロックに合致する可動型メッセージブロック表示インターフェースの表示を実現させる。
【００２４】
以上、本発明を上述した実施形態に基づき説明したが、本発明はそれに限定されるものではなく、当業者のいずれも、本発明の精神及び範囲を逸脱しない範囲で、若干の変更や修飾を加えることができるので、本発明にかかる特許の保護範囲は、本明細書に添付する特許請求の範囲に限定されるものによるべきである。
【図面の簡単な説明】
【００２５】
【図１】本発明にかかる可動型メッセージブロックの表示方法を示すフローチャートである。
【図２】本発明にかかる可動型メッセージブロックの表示システムを示すブロック図である。
【図３Ａ】本発明にかかる第１の実施形態のメッセージブロックの表示インターフェースの適用を模式的に示す図である。
【図３Ｂ】本発明にかかる第２の実施形態のメッセージブロックの表示インターフェースの適用を模式的に示す図である。
【図１】
2009059347.tif 000003
【図２】
2009059347.tif 000004
【図３Ａ】
2009059347.tif 000005
【図３Ｂ】
2009059347.tif 000006